(57)【要約】【課題】  パチンコ球の転動方向を３次元的に変更させることができるパチンコ機を提供すること。【解決手段】  振分役物１１では、コイルバネ４１の上端開口部を通過したパチンコ球が、コイルバネ４１の内部に衝突しながら転動・落下し、コイルバネ４１の下端開口部から放出される。このとき、コイルバネ４１の上端開口部を通過した際のパチンコ球の態様により、コイルバネ４１の内部で衝突しながら転動・落下するパチンコ球の挙動が変化する。さらに、コイルバネ４１は一方向に回転させられた状態にあり、また、Ｊ字状のコイルバネ４１はその下端開口部付近で曲がった形状にあり、さらに、コイルバネ４１の下端開口部は自由端になっている。よって、コイルバネ４１は回転・変形・復元などの複雑な動作を繰り返し、さらに、コイルバネ４１内のパチンコ球の挙動の影響も加わって、コイルバネ４１の下端開口部の位置が３次元的に変動する。【選択図】  図７
2006006925.tif 000002
【特許請求の範囲】
【請求項１】
パチンコ球の直径よりも大きな内径を有する変形自在な中空状の遊技球通路と、
前記遊技球通路の上端を支持することにより前記遊技球通路を吊り下げる支持部材と、
前記支持部材を介して前記遊技球通路を回転させる駆動源と、を備えたこと、を特徴とするパチンコ機。
【請求項２】
請求項１に記載するパチンコ機であって、
前記遊技球通路として使用されるコイルバネを備え、
前記コイルバネの巻方向と該コイルバネの回転方向を一致させたこと、を特徴とするパチンコ機。
【請求項３】
請求項１又は請求項２に記載するパチンコ機であって、
前記遊技球通路が曲げ形状を有することにより前記遊技球通路の下端を鉛直方向から外したこと、を特徴とするパチンコ機。
【請求項４】
請求項３に記載するパチンコ機であって、
前面に遊技領域を有する遊技盤と、
前記遊技領域内に設けられ、前記支持部材と、パチンコ球を内部へ入球させる入球口とを備えたセンター役物と、を有し、
前記遊技球通路は、前記センター役物の内部に設けられ、前記入球口から入球したパチンコ球を通過させるとともに同時に通過するパチンコ球の数に比例して通過するパチンコ球の進行方向を鉛直方向に対する傾斜角が小さくなるように変更する機能を備え、
仕切壁と、前記仕切壁によって複数の領域に区分された遊技球落下領域と、を備えた遊技球振分部を有し、
前記領域は、前記遊技球通路を通過するパチンコ球の進行方向の鉛直方向に対する傾斜角が所定角度以上で所定角度未満を一範囲としてその範囲にあるときに前記遊技球通路の下端から送出されたパチンコ球が落下する範囲を一領域とし、
前記遊技球落下領域は、それぞれ異なる傾斜角の角度範囲を連続して有する複数の前記領域を備えることを特徴とするパチンコ機。
【発明の詳細な説明】
【技術分野】
【０００１】
本発明は、パチンコ球の転動方向を変更させることができるパチンコ機に関するものである。
【背景技術】
【０００２】
従来のパチンコ機には、例えば、下記の特許文献１に記載されているように、パチンコ球が通過して下方へ落下させる貫通孔が形成された障害物を遊技盤上に配設し、この障害物をモータで回転させることより、パチンコ球の転動方向を変更させている。
【特許文献１】特開２００１−３２７６７３号公報（第１４図）
【０００３】
また、例えば、下記の特許文献２に記載されているように、パチンコ球が流下可能な中空貫通状に屈曲した開閉翼片を変動入賞装置に軸支し、さらに、その変動入賞装置を遊技盤上に配設し、開閉翼片に流入したパチンコ球の自重と開閉翼片の自重をもって、開閉翼片を傾動させることにより、パチンコ球の転動方向を変更させている。
【特許文献２】特開２００３−２３０６８４号公報（第２０図）
【発明の開示】
【発明が解決しようとする課題】
【０００４】
しかしながら、いずれの場合も、パチンコ球の転動方向は、２次元の遊技盤面上での変更にすぎないため、パチンコ遊技に慣れてくると、パチンコ球の転動方向が変わっても、その後のパチンコ球の転動先を容易に予想できるようになる。そのため、その後のパチンコ球の転動先が遊技者にとって不利と予想される場合には、そのパチンコ球に対する興味を失ってしまうことになる。
ところで、所謂「普通機」や「第二種パチンコ機」と呼ばれる種類のパチンコ機に設けられるセンター役物では、内部のクルーン上に複数個の振り分け孔を設け、特にパチンコ球が入球することにより遊技者に有利な結果を得られる振り分け孔と、その他の振り分け孔とに遊技球を振り分けることが行われていた（例えば、特開平９−１０３９３号公報参照）。しかしながら、このようなセンター役物では、複数のパチンコ球が同時に複数個センター役物内部に入球した場合に、クルーン上で遊技者にとって有利な振り分け孔に入球しようとするパチンコ球に他のパチンコ球が衝突することによって衝突されたパチンコ球の入球が妨害され、また、衝突したパチンコ球についても有利な振り分け孔に入球することができなくなっていた。従って、遊技者はセンター役物内部に複数個のパチンコ球を入球させる為、また、第二種パチンコ機においてセンター役物に設けられた羽根の開閉を行う入賞口に入賞させる為に多数の球を消費し、且つ多大な努力を払ったにもかかわらず、一個のみ入球した場合より逆に遊技者に不利な結果となる問題が生じていた。従って、遊技者の遊技意欲が減衰することとなっていた。
【０００５】
そこで、本発明は、上述した点を鑑みてなされたものであり、パチンコ球の転動方向を３次元的に変更させることができるパチンコ機を提供することを課題とする。
【課題を解決するための手段】
【０００６】
この課題を解決するために成された請求項１に係る発明は、パチンコ機であって、パチンコ球の直径よりも大きな内径を有する変形自在な中空状の遊技球通路と、前記遊技球通路の上端を支持することにより前記遊技球通路を吊り下げる支持部材と、前記支持部材を介して前記遊技球通路を回転させる駆動源と、を備えたこと、を特徴としている。
【０００７】
また、請求項２に係る発明は、請求項１に記載するパチンコ機であって、前記遊技球通路として使用されるコイルバネを備え、前記コイルバネの巻方向と該コイルバネの回転方向を一致させたこと、を特徴としている。
【０００８】
尚、コイルバネの巻方向とコイルバネの回転方向とが一致するか否かは、コイルバネの巻方向とスプリングの回転方向とを同一方向から見ることで判断する。
【０００９】
また、請求項３に係る発明は、請求項１又は請求項２に記載するパチンコ機であって、前記遊技球通路が曲げ形状を有することにより前記遊技球通路の下端を鉛直方向から外したこと、を特徴としている。
【００１０】
また、請求項４に係る発明は、請求項３に記載するパチンコ機であって、前面に遊技領域を有する遊技盤と、前記遊技領域内に設けられ、前記支持部材と、パチンコ球を内部へ入球させる入球口とを備えたセンター役物と、を有し、前記遊技球通路は、前記センター役物の内部に設けられ、前記入球口から入球したパチンコ球を通過させるとともに同時に通過するパチンコ球の数に比例して通過するパチンコ球の進行方向を鉛直方向に対する傾斜角が小さくなるように変更する機能を備え、仕切壁と、前記仕切壁によって複数の領域に区分された遊技球落下領域と、を備えた遊技球振分部を有し、前記領域は、前記遊技球通路を通過するパチンコ球の進行方向の鉛直方向に対する傾斜角が所定角度以上で所定角度未満を一範囲としてその範囲にあるときに前記遊技球通路の下端から送出されたパチンコ球が落下する範囲を一領域とし、前記遊技球落下領域は、それぞれ異なる傾斜角の角度範囲を連続して有する複数の前記領域を備えることを特徴とする。
【発明の効果】
【００１１】
すなわち、本発明のパチンコ機では、変形自在な中空状の遊技球通路が回転しており、遊技球通路の内部をパチンコ球が落下転動すると、パチンコ球の自重・速度などにより大
きな遠心力が無作為に遊技球通路に作用することになるので、パチンコ球が放出される遊技球通路の下端を３次元的に移動させることができる。そのため、遊技球通路の下端から放出されるパチンコ球の転動方向は、３次元的にランダムとなり、予想することが難しくなるので、そのパチンコ球に対する新たな興味を発生させる。
【００１２】
このとき、遊技球通路として使用されるコイルバネの巻方向とその回転方向を一致させると、遊技球通路に作用する遠心力がさらに大きくなり、より一層に、パチンコ球が放出される遊技球通路の下端を３次元的に移動させることができるため、遊技球通路の下端から放出されるパチンコ球の転動方向は、３次元的にランダムとなり、予想することが難しくなるので、そのパチンコ球に対する新たな興味を発生させる。
【００１３】
また、遊技球通路に曲げ形状を与え、遊技球通路の下端を鉛直方向から外した状態にすると、より一層に、パチンコ球が放出される遊技球通路の下端を３次元的に移動させることができるため、遊技球通路の下端から放出されるパチンコ球の転動方向は、３次元的にランダムとなり、予想することが難しくなるので、そのパチンコ球に対する新たな興味を発生させる。
【００１４】
また、遊技球通路をセンター役物内部に設け、同時に通過するパチンコ球の数に比例して通過するパチンコ球の進行方向の鉛直方向に対する傾斜角を変更して遊技球落下領域に振り分けるので、センター役物内部に入球したパチンコ球の数に応じてパチンコ球を確実に振り分けることが可能となる。従って、複数のパチンコ球を入球させた遊技者に対して入球による達成感を付与し、遊技意欲を向上させることができる。
【発明を実施するための最良の形態】
【００１５】
以下、本発明に係るゲーム装置について、本発明に係る遊技機をパチンコ機に具体化した第１乃至第３実施形態に基づき図面を参照しつつ詳細に説明する。
【００１６】
（第１実施形態）
先ず、本発明の第１実施形態について以下に図面を参照にして説明する。
図１は、第１実施形態に係るパチンコ機の遊技盤に配設される振分役物の一例を示した斜視図である。
そこで、先ず、振分役物１０１の概要について説明する。
図１に示すように、振分役物１０１は、パチンコ球が通過することが可能な貫通口１０２が貫設された入口部材１０３と、パチンコ球が通過することが可能なＪ字状のコイルバネ１０４、そのコイルバネ１０４の上端開口部を保持する保持部材１０５、その保持部材１０５に突設された第１歯車１０６、その第１歯車１０６と歯合する第２歯車１０７、その第２歯車１０７の駆動源であるモータ１０８などから構成されている。
【００１７】
この点、第１歯車１０６は、不図示の遊技盤に設けられた連結穴に介在しており、これによって、入口部材１０３と、コイルバネ１０４、保持部材１０５が不図示の遊技盤の正面側に配置され、第２歯車１０７とモータ１０８が不図示の遊技盤の背面側に配置される。
【００１８】
そして、コイルバネ１０４の巻き方向Ｓと同じ方向である矢印Ｚの向きにモータ１０８が回転すると、第２歯車１０７及び第１歯車１０６を介して、モータ１０８の回転運動が保持部材１０５に伝達され、保持部材１０５に固定されたコイルバネ１０４が回転される状態になる。
【００１９】
従って、入口部材１０３の貫通口１０２を介して、コイルバネ１０４の上端開口部を通過したパチンコ球は、コイルバネ１０４の内部に衝突しながら転動・落下し、コイルバネ１０４の下端開口部から不図示の遊技盤に放出される。このとき、コイルバネ１０４の上端開口部を通過した際のパチンコ球の速度・回転方向・転動方向などにより、コイルバネ１０４の内部で衝突しながら転動・落下するパチンコ球の挙動が変化する。さらに、コイルバネ１０４は回転された状態にあり、また、Ｊ字状のコイルバネ１０４はその下端開口部付近で曲がった形状にあり、さらに、コイルバネ１０４の下端開口部は自由端になっている。よって、コイルバネ１０４は回動・変形・復元などの複雑な動作を繰り返し、さらに、コイルバネ１０４内のパチンコ球の挙動の影響も加わって、コイルバネ１０４の下端開口部の位置が３次元的に変動するので、コイルバネ１０４の下端開口部からパチンコ球が四方八方に放出させることができる。
【００２０】
尚、Ｊ字状のコイルバネ１０４は、その下端開口部を含めた周辺を樹脂コーティングしたものを使用する。
【００２１】
すなわち、振分役物１０１では、変形自在な中空状のコイルバネ１０４が回転しており、コイルバネ１０４の内部をパチンコ球が落下転動すると、パチンコ球の自重・速度などにより大きな遠心力が無作為にコイルバネ１０４に作用することになるので、パチンコ球が放出されるコイルバネ１０４の下端開口部を３次元的に移動させることができる。そのため、コイルバネ１０４の下端開口部から放出されるパチンコ球の転動方向は、３次元的にランダムとなり、予想することが難しくなるので、そのパチンコ球に対する新たな興味を発生させる。
【００２２】
さらに、このとき、コイルバネ１０４の巻き方向の矢印Ｓと同じ方向である矢印Ｚの向きでコイルバネ１０４が回転されるように、モータ１０８の回転方向を設定しているので、パチンコ球に作用する遠心力がさらに大きくなり、より一層に、パチンコ球が放出されるコイルバネ１０４の下端開口部を３次元的に移動させることができるため、コイルバネ１０４の下端開口部から放出されるパチンコ球の転動方向は、３次元的にランダムとなり、予想することが難しくなるので、そのパチンコ球に対する新たな興味を発生させる。
【００２３】
また、コイルバネ１０４がＪ字状の曲げ形状を有しており、コイルバネ１０４の下端開口部が鉛直方向から外れた状態になっているので、より一層に、パチンコ球が放出されるコイルバネ１０４の下端開口部を３次元的に移動させることができるため、コイルバネ１０４の下端開口部から放出されるパチンコ球の転動方向は、３次元的にランダムとなり、予想することが難しくなるので、そのパチンコ球に対する新たな興味を発生させる。
【００２４】
もっとも、パチンコ球が放出されるコイルバネ１０４の下端開口部を３次元的に移動させると、不図示の遊技盤やガラス面等との接触・衝突を起こすおそれがあるが、ここでは、コイルバネ１０４の下端開口部を含めた周辺部分を樹脂コーティングしているので、コイルバネ１０４の下端開口部が不図示の遊技盤やガラス面等と接触・衝突を起こしても、その周辺を傷つけないことが可能となる。
【００２５】
尚、本発明は上記実施の形態に限定されるものでなく、その趣旨を逸脱しない範囲で様々な変更が可能である。
例えば、コイルバネ１０４の下端開口部のみを樹脂コーティングした場合には、コイルバネ１０４の巻き方向Ｓと逆方向にモータ１０８を回転させれば、コイルバネ１０４の下端開口部の先端断面が不図示の遊技盤やガラス面等と接触・衝突を起こしにくくなるので、不図示の遊技盤やガラス面等が傷つきにくくなる。
【００２６】
また、コイルバネ１０４は、樹脂製のものであってもよい。
【００２７】
また、振分役物１０１では、コイルバネ１０４の巻き方向の矢印Ｓと同じ方向である矢印Ｚの向きでモータ１０８を回転させることにより、コイルバネ１０４を回転させた状態にしていた。この点、モータ２１を双方向に回転させることにより、コイルバネ１０４を左右に振られた状態にしてもよい。
【００２８】
次に、図１６の正面図に示されたパチンコ機１の遊技盤２に配設された振分役物１１について説明する。振分役物１１は、後述する図７〜図１５に示すように、モータ２１と、歯車３１、コイルバネ４１、変形保持部材５１、架台６１などから構成されている。
【００２９】
ここで、モータ２１の三面図（第三角法による正面図・平面図・側面図をあわせて表したもの。以下、同じ。）を図２に示し、歯車３１の三面図を図３に示し、コイルバネ４１の二面図（第三角法による正面図・平面図をあわせて表したもの。）を図４に示し、変形保持部材５１の三面図を図５に示し、架台６１の三面図を図６に示す。
【００３０】
この点、図２に示すように、モータ２１には、駆動軸２２や一対の取付穴２３などが設けられている。
また、図３に示すように、歯車３１には、上記駆動軸２２が嵌合される軸穴３２が設けられている。
また、図４に示すように、コイルバネ４１は、矢印Ｓの方向に弦巻状に金属線（例えば、鋼やステンレス）を巻いたものである。さらに、コイルバネ４１の内径やピッチ間隔については、コイルバネ４１が曲線状になってもパチンコ球が通過し得るようなサイズが選定されている。
【００３１】
また、図５に示すように、変形保持部材５１は、上記コイルバネ４１の上端が嵌挿される円形開口部５２を設けた上端把持部材５３と、上記コイルバネ４１の下端が嵌め込まれる円形凸条部５４を設けた下端把持部材５５と、上端把持部材５３と下端把持部材５５とを連結する連結部材５６などから構成されている。この点、上端把持部材５３の外周には、上記歯車３１と歯合し得る歯形部５７が形成されている。また、下端把持部材５５の円形凸条部５４の内側には、パチンコ球が通過することが可能な円形開口部５８が形成されている。また、連結部材５６の全長は、上記コイルバネ４１の全長よりも短くなっている。さらに、連結部材５６及び下端把持部材５５については、樹脂製のものを使用している。
【００３２】
また、図６に示すように、架台６１には、遊技盤２（図１６参照）に固定するための固定部６２と、その固定部６２に突設された吊下部６３、その吊下部６３と反対側で上記固定部６２に突設された取付部６４などから構成されている。この点、固定部６２には、取付穴６５が設けられており、この取付穴６５を介した取付ネジによって、架台６１が遊技盤２（図１６参照）に固定される。また、吊下部６３には、パチンコ球が通過することが可能な円形開口部６９が形成されており、さらに、円形開口部６９の外側には、上記変形保持部材５１の上端把持部材５３が遊嵌されて回動自在に摺動し得る環状溝６６が形成されている。また、取付部６には、上記モータ２１の駆動軸２２を突出させるための開口６７と上記モータ２１の一対の取付穴２３に対向しうる一対の取付穴６８が形成されている。
【００３３】
従って、取付部６４の一対の取付穴６８に対してモータ２１の一対の取付穴２３を重ね合わせ、それらの取付穴２３，６８を介した取付ネジによって、取付部６の下方からモータ２１を固定させることができる。このとき、取付部６４の開口６７からモータ２１の駆動軸２２が突出した状態になるので、そのモータ２１の駆動軸２２に対して歯車３１の軸穴３２を嵌合させることにより、モータ２１に歯車３１を取り付けることができる。
【００３４】
一方、変形保持部材５１においては、上端把持部材５３の円形開口部５２にコイルバネ４１の上端を嵌挿させるとともに下端把持部材５５の円形凸条部５４にコイルバネ４１の下端を嵌め込むことにより、コイルバネ４１が取り付けられる。このとき、上端把持部材５３と下端把持部材５５とを連結する連結部材５６の全長がコイルバネ４１の全長よりも短いことから、コイルバネ４１はＪ字状の曲がった状態になる。
【００３５】
そして、架台６１において、吊下部６３の環状溝６６に対し、コイルバネ４１が取り付けられた状態にある変形保持部材５１の上端把持部材５３を遊嵌させると、その上端把持部材５３に周設された歯形部５７とモータ２１に取付けられた歯車３１とが歯合することになり、図１７に示す振分役物１１が組み立てられる。
【００３６】
そして、振分役物１１においては、モータ２１が一方向に回転すると、歯車３１及び歯形部５７を介して、モータ２１の回転運動が上端把持部材５３に伝達されるので、上端把持部材５３に吊り下げられたコイルバネ４１が一方向に回転される状態になる。
但し、ここでは、コイルバネ４１の巻き方向である矢印Ｓ（図４参照）と同じ方向でコイルバネ４１が回転されるように、モータ２１の回転方向を設定する。
【００３７】
従って、振分役物１１においては、吊下部６３の円形開口部６９を介して、コイルバネ４１の上端開口部を通過したパチンコ球は、コイルバネ４１の内部に衝突しながら転動・落下し、コイルバネ４１の下端開口部から遊技盤２に放出される。このとき、コイルバネ４１の上端開口部を通過した際のパチンコ球の速度・回転方向・転動方向などにより、コイルバネ４１の内部で衝突しながら転動・落下するパチンコ球の挙動が変化する。さらに、コイルバネ４１は一方向に回転された状態にあり、また、Ｊ字状のコイルバネ４１はその下端開口部付近で曲がった形状にあり、さらに、コイルバネ４１の下端開口部は自由端になっている。よって、コイルバネ４１は回転・変形・復元などの複雑な動作を繰り返し、さらに、コイルバネ４１内のパチンコ球の挙動の影響も加わって、コイルバネ４１の下端開口部の位置が３次元的に変動するので、コイルバネ４１の下端開口部からパチンコ球が四方八方に放出させることができる。
【００３８】
尚、コイルバネ４１の下端開口部の位置が３次元的に変動することを示すために、コイルバネ４１の下端開口部が右側に移動した場合の遊技盤２について、図７に正面図を示し、図８に平面図を示し、図９に側面図を示す。また、コイルバネ４１の下端開口部が左側に移動した場合の遊技盤２について、図１０に正面図を示し、図１１に平面図を示し、図１２に側面図を示す。さらに、コイルバネ４１の下端開口部が中央に移動した場合の遊技盤２について、図１３に正面図を示し、図１４に平面図を示し、図１５に側面図を示す。
【００３９】
すなわち、振分役物１１では、変形自在な中空状のコイルバネ４１が回転しており、コイルバネ４１の内部をパチンコ球が落下転動すると、パチンコ球の自重・速度などにより大きな遠心力が無作為にコイルバネ４１に作用することになるので、パチンコ球が放出されるコイルバネ４１の下端開口部を３次元的に移動させることができる。そのため、コイルバネ４１の下端開口部から放出されるパチンコ球の転動方向は、３次元的にランダムとなり、予想することが難しくなるので、そのパチンコ球に対する新たな興味を発生させる。
【００４０】
さらに、このとき、コイルバネ４１の巻き方向である矢印Ｓ（図４参照）と同じ方向でコイルバネ４１が回転されるように、モータ２１の回転方向を設定しているので、パチンコ球に作用する遠心力がさらに大きくなり、より一層に、パチンコ球が放出されるコイルバネ４１の下端開口部を３次元的に移動させることができるため、コイルバネ４１の下端開口部から放出されるパチンコ球の転動方向は、３次元的にランダムとなり、予想することが難しくなるので、そのパチンコ球に対する新たな興味を発生させる。
【００４１】
また、コイルバネ４１がＪ字状の曲げ形状を有しており、コイルバネ４１の下端開口部が鉛直方向から外れた状態になっているので、より一層に、パチンコ球が放出されるコイルバネ４１の下端開口部を３次元的に移動させることができるため、コイルバネ４１の下端開口部から放出されるパチンコ球の転動方向は、３次元的にランダムとなり、予想することが難しくなるので、そのパチンコ球に対する新たな興味を発生させる。
【００４２】
もっとも、パチンコ球が放出されるコイルバネ４１の下端開口部を３次元的に移動させると、不図示の遊技盤やガラス面等との接触・衝突を起こすおそれがあるが、ここでは、コイルバネ４１の下端開口部を含めた周辺部分を樹脂製の下端把持部材５５で保持し覆っているので、コイルバネ４１の下端開口部が遊技盤２等と接触・衝突を起こしても、その周辺を傷つけないことが可能となる。
【００４３】
尚、本発明は上記実施の形態に限定されるものでなく、その趣旨を逸脱しない範囲で様々な変更が可能である。
例えば、コイルバネ４１は、樹脂製のものであってもよい。
【００４４】
また、コイルバネ４１については、予めＪ字状に成形されたものを使用してもよい。但し、この場合には、変形保持部材５１を使用する必要なくなるが、周辺の傷つき防止の観点からすれば、コイルバネ４１の下端開口部を含めた周辺部分を樹脂コーティングすることが望ましい。さらに、コイルバネ４１の下端開口部のみを樹脂コーティングした場合には、コイルバネ４１の巻き方向Ｓと逆方向にモータ２１を回転させれば、コイルバネ４１の下端開口部の先端断面が不図示の遊技盤やガラス面等と接触・衝突を起こしにくくなるので、不図示の遊技盤やガラス面等が傷つきにくくなる。
【００４５】
また、振分役物１１では、コイルバネ４１の巻き方向である矢印Ｓ（図４参照）と同じ方向でモータ２１を回転させることにより、上端把持部材５３に吊り下げられたコイルバネ４１を回転させた状態にしていた。この点、モータ２１を双方向に回転させることにより、コイルバネ４１を左右に振られた状態にしてもよい。
尚、コイルバネ４１を左右に振られた状態にする点に関しては、以下の振分役物も考えられる。
【００４６】
すなわち、図１７は、コイルバネを左右に振られた状態にする振分役物の一例を示した斜視図である。
そこで、次に、振分役物２０１の概要について説明する。
図１７に示すように、振分役物２０１は、パチンコ球が通過することが可能な貫通口２０２が貫設された入口部材２０３と、パチンコ球が通過することが可能なＪ字状のコイルバネ２０４、そのコイルバネ２０４の上端開口部を保持する保持部材２０５、その保持部材２０５に突設された伝動板２０６、その伝動板２０６と連結するプランジャ２０７、そのプランジャ２０７の駆動源であるソレノイド２０８などから構成されている。
【００４７】
この点、伝動板２０６は、不図示の遊技盤に設けられた連結穴に介在しており、これによって、入口部材２０３と、コイルバネ２０４、保持部材２０５が不図示の遊技盤の正面側に配置され、プランジャ２０７とソレノイド２０８が不図示の遊技盤の背面側に配置される。
【００４８】
そして、ソレノイド２０８が駆動すると、プランジャ２０７及び伝動板２０６を介して、ソレノイド２０８の往復運動が保持部材２０５に伝達され、保持部材２０５に固定されたコイルバネ２０４が左右に振られる状態になる。
【００４９】
従って、入口部材２０３の貫通口２０２を介して、コイルバネ２０４の上端開口部を通過したパチンコ球は、コイルバネ２０４の内部に衝突しながら転動・落下し、コイルバネ２０４の下端開口部から不図示の遊技盤に放出される。このとき、コイルバネ２０４の上端開口部を通過した際のパチンコ球の速度・回転方向・転動方向などにより、コイルバネ２０４の内部で衝突しながら転動・落下するパチンコ球の挙動が変化する。さらに、コイルバネ２０４は左右に振られた状態にあり、また、Ｊ字状のコイルバネ２０４はその下端開口部付近で曲がった形状にあり、さらに、コイルバネ２０４の下端開口部は自由端になっている。よって、コイルバネ２０４は回動・変形・復元などの複雑な動作を繰り返し、さらに、コイルバネ２０４内のパチンコ球の挙動の影響も加わって、コイルバネ２０４の下端開口部の位置が３次元的に変動するので、コイルバネ２０４の下端開口部からパチンコ球が四方八方に放出させることができる。
【００５０】
尚、Ｊ字状のコイルバネ２０４は、その下端開口部を含めた周辺を樹脂コーティングしたものを使用する。
【００５１】
すなわち、振分役物２０１では、変形自在な中空状のコイルバネ２０４が左右に振られた状態にあり、コイルバネ２０４の内部をパチンコ球が落下転動すると、パチンコ球の自重・速度などにより大きな外力が無作為にコイルバネ２０４に作用することになるので、パチンコ球が放出されるコイルバネ２０４の下端開口部を３次元的に移動させることができる。そのため、コイルバネ２０４の下端開口部から放出されるパチンコ球の転動方向は、３次元的にランダムとなり、予想することが難しくなるので、そのパチンコ球に対する新たな興味を発生させる。
【００５２】
また、コイルバネ２０４がＪ字状の曲げ形状を有しており、コイルバネ２０４の下端開口部が鉛直方向から外れた状態になっているので、より一層に、パチンコ球が放出されるコイルバネ２０４の下端開口部を３次元的に移動させることができるため、コイルバネ２０４の下端開口部から放出されるパチンコ球の転動方向は、３次元的にランダムとなり、予想することが難しくなるので、そのパチンコ球に対する新たな興味を発生させる。
【００５３】
もっとも、パチンコ球が放出されるコイルバネ２０４の下端開口部を３次元的に移動させると、不図示の遊技盤やガラス面等との接触・衝突を起こすおそれがあるが、ここでは、コイルバネ２０４の下端開口部を含めた周辺部分を樹脂コーティングしているので、コイルバネ２０４の下端開口部が不図示の遊技盤やガラス面等と接触・衝突を起こしても、その周辺を傷つけないことが可能となる。
【００５４】
尚、コイルバネ２０４の材質は真鍮製や樹脂製のものであってもよい。
【００５５】
（第２実施形態）
次に、振分役物を「普通機」と呼ばれる種のパチンコ機に設けられるセンター役物に対して適用した第２実施形態について以下に図面を参照にして説明する。尚、以下の説明において上記図１乃至図１７の第１実施形態に係るパチンコ機１の構成と同一符号は、前記第１実施形態に係るパチンコ機１等の構成と同一あるいは相当部分を示すものである。
【００５６】
先ず、第２実施形態に係るパチンコ機における遊技盤３０１上の遊技領域３０２の構成について説明する。図１８は第２実施形態に係るパチンコ機の遊技盤３０１の遊技領域３０２を示した平面図である。
この遊技領域３０２は、所定厚さの板材をなした遊技盤３０１上に電動役物などの各構造物が配設され、それを囲むように環状のレール３０３が立設されて構成されている。このレール３０３は、発射されたパチンコ球を遊技領域３０２内に案内する重複して形成した案内路３０４を構成し、右肩部にはレール３０３に沿って打ち込まれるパチンコ球の進行を制限するための段差部３０５を有する。
【００５７】
遊技領域３０２のほぼ中央には、開口部が開設され、この開口部の前面側には振分役物であるセンター役物３０６が配設されている。このセンター役物３０６は、後述するように、遊技領域３０２を転動するパチンコ球をセンター役物３０６内部に入球させる２つの入球口３５０、３５１と、内部でパチンコ球を転動させるとともにコイルバネ３５４へと案内するクルーン３５５と、Ｊ字状に形成された中空状のコイルバネ３５４と、コイルバネ３５４の内部を通過したパチンコ球を落下地点に基づいて複数個（第２実施形態では３個）の振分孔３６１〜３６３に振り分ける振分樋３６０と、から構成される。
【００５８】
ここで、センター役物３０６によって振り分けられたパチンコ球が振分孔３６１〜３６３の内、特に中央に位置する当り振分孔３６１（図２１参照）に入球すると、センター役物３０６の下部に設けられた中央普通電動役物３０７、３０８の羽根３０７Ａ、３０８Ａが両方同時に開放される。一方、外周左側に位置する外れ振分孔３６２（図２１参照）に入球すると、中央普通電動役物３０７の左側に配置された側部普通電動役物３０９の羽根３０９Ａが開放される。また、外周右側に位置する外れ振分孔３６３（図２１参照）に入球すると、中央普通電動役物３０７の右側に配置された側部普通電動役物３１０の羽根３１０Ａが開放される。
そして、その振り分け結果に基づいて、遊技者はその後の遊技において獲得可能なパチンコ球の量が決定され、当り振分孔３６１に入球した場合に遊技者により有利となるように構成されている。尚、センター役物３０６に関しては後に詳細に説明する。
【００５９】
また、遊技盤３０１の裏面には、センター役物３０６内部で外れ振分孔３６２、３６３に振り分けられたパチンコ球を通過させる第１及び第２排出通路３１１、３１２が設けられている。この内、第１排出通路３１１は、外れ振分孔３６２に入球したパチンコ球を側部普通電動役物３０９の裏側へと案内し、側部普通電動役物３０９の羽根３０９Ａを機械的に開閉させるレバー（図示せず）に接触させることにより、羽根３０９Ａを開放する。
一方、第２排出通路３１２は、外れ振分孔３６３に入球したパチンコ球を側部普通電動役物３１０の裏側へと案内し、側部普通電動役物３１０の羽根３１０Ａを機械的に開閉させるレバー（図示せず）に接触させることにより、羽根３１０Ａを開放する。
【００６０】
一方、センター役物３０６の左右側には風車３１５〜３１７が回転自在に設けられている。また、中央普通電動役物３０８の左右には、普通電動役物３２０、３２１が配置されている。ここで、前記側部普通電動役物３０９にパチンコ球が入賞すると、普通電動役物３２０の羽根３２０Ａが開放される。また、前記側部普通電動役物３１０にパチンコ球が入賞すると、普通電動役物３２１の羽根３２１Ａが開放される。
【００６１】
また、センター役物３０６の左側にはゲート３２２が配置され、ゲート３２２にはパチンコ球の通過を検出するゲートスイッチ（不図示）が備えられており、パチンコ球の通過を検出することで、側部普通電動役物３０９の羽根３０９Ａが開放される。それによって、この側部普通電動役物３０９に対してパチンコ球が入球可能な領域が拡大し、側部普通電動役物３０９に入賞し易くなる。同様に、センター役物３０６の右側にはゲート３２３が配置され、ゲート３２３にはパチンコ球の通過を検出するゲートスイッチ（不図示）が備えられており、パチンコ球の通過を検出することで、側部普通電動役物３１０の羽根３１０Ａが開放される。それによって、この側部普通電動役物３１０に対してパチンコ球が入球可能な領域が拡大し、側部普通電動役物３１０に入賞し易くなる。
【００６２】
また、中央普通電動役物３０８、側部普通電動役物３１０、３１１、普通電動役物３２０、３２１の上部にはそれぞれゲート３０８Ｂ、３１０Ｂ、３１１Ｂ、３２０Ｂ、３２１Ｂが設けられ、各ゲートにはパチンコ球の通過を検出するゲートスイッチ（不図示）が備えられている。そして、ゲートスイッチがパチンコ球の通過を検出することで、検出されたゲートを有する役物の羽根が開放される。それによって、当該役物に対してパチンコ球が入球可能な領域が拡大し、入賞し易くなる。
【００６３】
また、中央普通電動役物３０８の直下にはレール３０３に沿ってアウト口３２５が開設されている。更に、レール３０３に囲まれたこのような遊技領域３０２には、前記各構成物とともに複数の釘が打設されてパチンコ球の複雑な流路を構成している。
【００６４】
続いて、前記遊技盤３０１に設けられたセンター役物３０６について図１９を用いて詳細に説明する。図１９は第２実施形態に係るセンター役物３０６について示した斜視図である。
【００６５】
図１９に示すように、第２本実施形態に係るセンター役物３０６は、入球口３５０、３５１と、案内通路３５６、３５７と、クルーン３５５と、保持部材収納ケース３５３と、コイルバネ３５４と、振分樋３６０と、から基本的に構成される。
【００６６】
入球口３５０、３５１は、センター役物３０６の上部に左右一対に設けられ、遊技領域３０２を転動するパチンコ球をセンター役物３０６内部に入球させる円形状の開口部である。また、入球口３５０、３５１の内部にはパチンコ球の通過を検出するセンサが設けられており、入球したことを検出すると所定数のパチンコ球が遊技者に払い出される。
【００６７】
案内通路３５６、３５７は、前記入球口３５０、３５１を一端に形成し、入球口３５０、３５１から入球したパチンコ球をセンター役物３０６内部へと案内する為の略Ｌ字形状の通路である。
【００６８】
クルーン３５５は、前記案内通路３５６、３５７の下端から落下したパチンコ球を受けて所定期間転動させるとともに、中央に形成された円形開口部３５８から保持部材収納ケース３５３内へとパチンコ球を案内する。尚、クルーン３５５の底面はパチンコ球が円形開口部３５８へと導かれるように中央方向へと徐々に傾斜されて形成されている。
【００６９】
また、保持部材収納ケース３５３は円筒形状を有し、図２０に示す支持部材としての保持部材３７１が内部に収納されている。そして、収納された保持部材３７１の底面に対してはパチンコ球が通過することが可能なＪ字状のコイルバネ３５４が取り付けられている。ここで、前記クルーン３５５の円形開口部３５８から落下したパチンコ球は、保持部材３７１を通過して上端開口部３５９からコイルバネ３５４の内部へと入球する。尚、前記クルーン３５５及び保持部材収納ケース３５３は、光を透過させる透過性部材（例えば、透明樹脂）により形成されている。従って、クルーン３５５内で転動するパチンコ球や保持部材収納ケース３５３を通過するパチンコ球を遊技者が外部より認視可能になっている。
【００７０】
コイルバネ３５４は、パチンコ球が通過することが可能なＪ字状のコイルバネであり、下端が鉛直方向から所定角度傾斜されている。また、図２０に示すように、コイルバネ３５４の上端開口部を保持する保持部材３７１と、その保持部材３７１に突設された第１歯車３７２と、その第１歯車３７２と歯合する第２歯車３７３と、その第２歯車３７３の駆動源である駆動モータ３７４等が別途付設されている。図２０は第２実施形態に係るコイルバネ３５４の回転構造を示した模式図である。
そして、駆動モータ３７４が回転すると、第２歯車３７３及び第１歯車３７２を介して、駆動モータ３７４の回転運動が保持部材３７１に伝達され、保持部材３７１に固定されたコイルバネ３５４が回転される。尚、その際のコイルバネ３５４の回転方向は、コイルバネ３５４の巻き方向Ｓと同方向となっている。
【００７１】
従って、クルーン３５５の円形開口部３５８及び保持部材３７１を介して、コイルバネ３５４の上端開口部３５９を通過したパチンコ球は、コイルバネ３５４の内部に衝突しながら転動・落下し、コイルバネ３５４の下端開口部から振分樋３６０に放出される。また、コイルバネ３５４の下端開口部は自由端になっており、このとき、コイルバネ３５４を同時に通過するパチンコ球の数（即ち、パチンコ球の自重）により、コイルバネ３５４の弾性による撓み量が変化し、パチンコ球の進行方向が段階的に変化する（図２２参照）。更に、コイルバネ３５４は回転された状態にあるので、コイルバネ３５４の下端開口部の位置が３次元的に変動し、コイルバネ３５４の下端開口部からパチンコ球が四方八方に放出させることができる。
【００７２】
また、第２実施形態に係るパチンコ機で用いられるコイルバネ３５４の弾性係数は、コイルバネ３５４の先端が遊技者側に向けられた場合を除き、通過するパチンコ球の数が１個のみの場合に下端開口部から振分樋３６０に放出されたパチンコ球が後述の第１外れ領域３６７又は第２外れ領域３６８（図２１参照）のいずれかに落下し、且つ、同時に通過するパチンコ球の数が２個以上の場合に下端開口部から振分樋３６０に放出されたパチンコ球が当り領域３６６（図２１参照）に落下するように設計されている。
尚、Ｊ字状のコイルバネ３５４は、その下端開口部を含めた周辺を樹脂コーティングしたものを使用することが望ましい。
【００７３】
また、振分樋３６０は、コイルバネ３５４の下方に設けられたトレイ状の部材であり、仕切壁３６５によってその上面に３つの領域が略同心円状に形成されている。ここで、図２１は第２実施形態に係る振分樋３６０を示した上面図である。
【００７４】
図２１に示すように、振分樋３６０には、当り振分孔３６１が底面に形成された当り領域３６６と、外れ振分孔３６２が底面に形成された第１外れ領域３６７と、外れ振分孔３６３が底面に形成された第２外れ領域３６８が形成されている。更に、各領域３６６〜３６８の底面は落下したパチンコ球が各振分孔３６１〜３６３へと導かれるように振分孔方向へ所定角度で傾斜されている。
【００７５】
ここで、第１及び第２外れ領域３６７、３６８は、基本的に当り領域３６６の外周に位置しており、通過するパチンコ球の数が１個のみの場合には、下端開口部から振分樋３６０に放出されたパチンコ球の進行方向の鉛直方向に対する傾斜角θが第１外れ領域３６７又は第２外れ領域３６８の範囲内に落下可能な所定角度（例えば６０°）未満で所定角度（例えば１５°）以上となって、パチンコ球は第１外れ領域３６７又は第２外れ領域３６８のいずれかに落下する。一方、同時に通過するパチンコ球の数が２個以上の場合には、下端開口部から振分樋３６０に放出されたパチンコ球の進行方向の鉛直方向に対する傾斜角θが当り領域３６６の範囲内に落下可能な所定角度（例えば１５°）未満で所定角度（例えば０°）以上となって、パチンコ球は当り領域３６６に落下する。尚、当り領域３６６の傾斜角θの範囲と、第１外れ領域３６７又は第２外れ領域３６８の傾斜角θの範囲とは連続している。
【００７６】
また、特に第２実施形態に係る振分樋３６０は、当り領域３６６を形成する仕切壁３６５が円形状ではなくＵ字状に設けられており、当り領域３６６は遊技盤３０１の垂直方向を長手方向とする略楕円形状をなす。従って、後述のように、コイルバネ３５４の先端が遊技者方向を向いたタイミングでパチンコ球が下端開口部から振分樋３６０に放出された際には、同時に通過するパチンコ球の数に関わらず、当り領域３６６に必ず落下することとなる（図２３参照）。
【００７７】
次に、図２２及び図２３を用いて、センター役物３０６によるパチンコ球の振り分け機構について説明する。図２２の（Ａ）は、コイルバネ３５４内をパチンコ球が１球のみ通過する際のパチンコ球の挙動を示した模式図、図２２の（Ｂ）は、コイルバネ３５４内をパチンコ球が同時に２球通過する際の各パチンコ球の挙動を示した模式図である。また、図２３は、コイルバネ３５４の先端が遊技者方向を向いたタイミングで、コイルバネ３５４内をパチンコ球が１球のみ通過する際のパチンコ球の挙動を示した模式図である。尚、図２２の（Ａ）及び（Ｂ）は図２１の線Ａ−Ａで振分樋３６０を切断した際の矢視断面図に相当し、図２３は図２１の線Ｂ−Ｂで振分樋３６０を切断した際の矢視断面図に相当する。
【００７８】
図２２（Ａ）に示すように、パチンコ球５が駆動モータ３７４によって回転するコイルバネ３５４の内部を１球のみ通過する場合には、パチンコ球５の自重によってコイルバネ３５４にα（≦パチンコ球が通過しない状態での撓み）の撓みが生じる。そして、下端開口部３５４Ａからパチンコ球５が傾斜角θ１の進行方向により振分樋３６０に放出された場合には、該パチンコ球５は第１外れ領域３６７に落下し、その後、外れ振分孔３６２に入球することとなる。
【００７９】
図２２（Ｂ）に示すように、パチンコ球５が駆動モータ３７４によって回転するコイルバネ３５４の内部を２球同時に通過する場合には、パチンコ球の２球分の自重によってコイルバネ３５４にβ（＜α）の撓みが生じる。そして、下端開口部３５４Ａからパチンコ球５が傾斜角θ２の進行方向により振分樋３６０に放出された場合には、該パチンコ球５は当り領域３６６に落下し、その後、当り振分孔３６１に入球することとなる。尚、図示は省略するが、コイルバネ３５４の内部をパチンコ球５が３球以上同時に通過する場合においても、当然に下端開口部３５４Ａから放出されたパチンコ球５は当り領域３６６に落下する。
【００８０】
一方、前記したように第２実施形態に係るパチンコ機では、当り領域３６６は特殊な略楕円形状を有している（図２１参照）ので、コイルバネ３５４の先端が遊技者方向を向いたタイミングで、図２３に示すように、パチンコ球５が駆動モータ３７４によって回転するコイルバネ３５４の内部を１球のみ通過する場合には、下端開口部３５４Ａから傾斜角θ２の進行方向により振分樋３６０に放出されたパチンコ球５は当り領域３６６に落下する。その後、当り振分孔３６１に入球することとなる。また、図示は省略するが、図２３に示すタイミングでは、コイルバネ３５４の内部をパチンコ球５が２球以上同時に通過する場合においても、当然に下端開口部３５４Ａから放出されたパチンコ球５は当り領域３６６に落下する。
【００８１】
即ち、第２実施形態に係るパチンコ機では、コイルバネ３５４の内部をパチンコ球が２球以上同時に通過する場合には、下端開口部３５４Ａから放出されたパチンコ球の進行方向の鉛直方向に対する傾斜角θが当り領域３６６の範囲内に落下可能な所定角度（例えば１５°）未満で所定角度（例えば０°）以上となるので、パチンコ球は当り領域３６６に落下する。更に、コイルバネ３５４の内部をパチンコ球が１球のみ通過する場合であっても、コイルバネ３５４の先端が遊技者方向を向いたタイミングでパチンコ球が放出される場合では、下端開口部３５４Ａから放出されたパチンコ球は当り領域３６６に落下する。従って、遊技者は、多数のパチンコ球をセンター役物３０６内に入球させることによって、より有利な遊技結果を得ることができる。また、１球のみしか入球できなかった場合であっても、所定の割合で当り振分孔３６１に入球させることが可能であり、遊技者を飽きさせることがない。
【００８２】
以上より、第２実施形態に係るパチンコ機では、コイルバネ３５４をセンター役物３０６内部に設け、同時に通過するパチンコ球の数に基づいて通過するパチンコ球の進行方向を段階的に変更して振り分けるので、センター役物３０６内部に入球したパチンコ球の数に応じてパチンコ球を確実に振り分けることが可能となる。従って、複数のパチンコ球を入球させた遊技者に対して入球による達成感を付与し、遊技意欲を向上させることができる。また、パチンコ球の振り分けにおいて、可動部が少なくシンプルな構造とすることが可能であり、低コスト・高信頼性を確保することができる。
また、コイルバネ３５４の下端開口部３５４Ａから送出されたパチンコ球が落下する領域を、コイルバネ３５４を通過するパチンコ球の進行方向の鉛直方向に対する傾斜角θによって定義された領域（同心円状の領域）を二以上含んだ状態で仕切壁３６５によって区分するので、コイルバネ３５４を通過するパチンコ球の進行方向の鉛直方向に対する傾斜角θが所定の角度範囲（例えば、パチンコ球が１球のみ通過する場合の角度）である場合に、パチンコ球を所定の割合で当り領域３６６と外れ領域３６７、３６８とに区分して振り分けるので、パチンコ球の振り分けがコイルバネ３５４を同時に通過するパチンコ球の数に依存することを減少させることができる。従って、遊技者がパチンコ球の入賞結果の予想することが困難となり、そのパチンコ球に対する新たな興味を発生させる。
【００８３】
（第３実施形態）
次に、第３実施形態に係るパチンコ機について図２４及び図２５に基づいて説明する。尚、以下の説明において上記図１８乃至図２３の第２実施形態に係るパチンコ機の構成と同一符号は、前記第２実施形態に係るパチンコ機の構成と同一あるいは相当部分を示すものである。
【００８４】
この第３実施形態に係るパチンコ機の概略構成は、第２実施形態に係るパチンコ機とほぼ同じ構成である。また、各種制御処理も第２実施形態に係るパチンコ機とほぼ同じ制御処理である。
ただし、第２実施形態に係るパチンコ機では、センター役物３０６内部の振分樋３６０の当り領域３６６（図２１参照）が、略楕円形状を有しているのに対して、第３実施形態に係るパチンコ機では、センター役物４０６内部の振分樋４６０の当り領域４６６（図２５参照）が、略円形状を有している点で前記第２実施形態に係るパチンコ機と異なっている。
【００８５】
以下に、第３実施形態に係るパチンコ機に設けられるセンター役物４０６について図２４を用いて詳細に説明する。図２４は第３実施形態に係るセンター役物４０６について示した斜視図である。
【００８６】
図２４に示すように、第３本実施形態に係るセンター役物４０６は、入球口３５０、３５１と、案内通路３５６、３５７と、クルーン３５５と、保持部材収納ケース３５３と、コイルバネ３５４と、振分樋４６０と、から基本的に構成される。
【００８７】
ここで、入球口３５０、３５１、案内通路３５６、３５７、クルーン３５５、保持部材収納ケース３５３、コイルバネ３５４の構造に関しては、前記第２実施形態に係るセンター役物３０６と同様であるので、ここではその説明は省略する。
【００８８】
一方、振分樋４６０は、コイルバネ３５４の下方に設けられたトレイ状の部材であり、仕切壁４６５によってその上面に２つの領域が形成されている。ここで、図２５は第３実施形態に係る振分樋４６０を示した上面図である。
【００８９】
図２５に示すように、第３実施形態に係る振分樋４６０には、当り振分孔４６１が底面に形成された当り領域４６６と、外れ振分孔４６２、４６３が左右底面に形成された外れ領域４６７が形成されている。また、各領域４６６、４６７の底面は落下したパチンコ球が各振分孔４６１〜４６３へと導かれるように振分孔方向へ所定角度で傾斜されている。
【００９０】
ここで、外れ領域４６７は当り領域４６６の外周に位置しており、通過するパチンコ球の数が１個のみの場合には、下端開口部から振分樋３６０に放出されたパチンコ球の進行方向の鉛直方向に対する傾斜角θが外れ領域４６７の範囲内に落下可能な所定角度（例えば６０°）未満で所定角度（例えば１５°）以上となって、パチンコ球はコイルバネ３５４の回転角度に関わらず外れ領域４６７に必ず落下する。一方、同時に通過するパチンコ球の数が２個以上の場合には、下端開口部から振分樋３６０に放出されたパチンコ球の進行方向の鉛直方向に対する傾斜角θが当り領域４６６の範囲内に落下可能な所定角度（例えば１５°）未満で所定角度（例えば０°）以上となって、パチンコ球はコイルバネ３５４の回転角度に関わらず必ず当り領域４６６に落下する。尚、当り領域４６６の傾斜角θの範囲と、外れ領域４６７の傾斜角θの範囲とは連続している。
従って、遊技者は、多数のパチンコ球をセンター役物４０６内に入球させることによって、より有利な遊技結果を得ることができることとなっている。
【００９１】
尚、本発明は上記実施の形態に限定されるものでなく、その趣旨を逸脱しない範囲で様々な変更が可能である。
例えば、第２及び第３実施形態において、振分樋３６０、４６０は基本的に当り領域と外れ領域との２種類の領域によって形成され、コイルバネ３５４を通過するパチンコ球の数によっていずれかの領域に振り分けることとしていたが、振り分ける領域の数は２種類に限られることなく、３種類以上の領域に振り分けることとしても良い。例えば、図２６は３種類の領域によって形成した振分樋の変形例について示した上面図である。
【００９２】
図２６に示す振分樋５６０には、仕切壁５６６によってその上面に５つの領域が形成され、具体的には、大当り振分孔５６１が底面に形成された大当り領域５６７と、中当り振分孔５６２が底面に形成された第１中当り領域５６８と、中当り振分孔５６３が底面に形成された第２中当り領域５６９と、外れ振分孔５６４が底面に形成された第１外れ領域５７０と、外れ振分孔５６５が底面に形成された第２外れ領域５７１が形成されている。
【００９３】
そして、第１及び第２中当り領域５６８、５６９は大当り領域５６７の外周に位置し、第１及び第２外れ領域５７０、５７１は第１及び第２中当り領域５６８、５６９の更に外周に位置する。その結果、コイルバネ３５４の撓み量（言い換えれば、パチンコ球の進行方向の鉛直方向に対する傾斜角）が第１所定量以上の場合（例えば、通過するパチンコ球の数が１個のみの場合）に下端開口部から振分樋５６０に放出されたパチンコ球は、第１外れ領域５７０又は第２外れ領域５７１のいずれかに落下する。
一方、コイルバネ３５４の撓み量（言い換えれば、パチンコ球の進行方向の鉛直方向に対する傾斜角）が第１所定量未満で第２所定量以上の場合（例えば、同時に通過するパチンコ球の数が２個の場合）に下端開口部から振分樋５６０に放出されたパチンコ球は、第１中当り領域５６８又は第２中当り領域５６９のいずれかに落下する。
更に、コイルバネ３５４の撓み量（言い換えれば、パチンコ球の進行方向の鉛直方向に対する傾斜角）が第２所定量未満の場合（例えば、同時に通過するパチンコ球の数が３個以上の場合）に下端開口部から振分樋５６０に放出されたパチンコ球は、大当り領域５６７に落下する。
そして、外れ振分孔５６４、５６５にパチンコ球が入球するよりも、中当り振分孔５６２、５６３にパチンコ球が入球した場合のほうが、より遊技者に有利な結果となるように構成され、更に、中当り振分孔５６２、５６３にパチンコ球が入球するよりも、大当り振分孔５６１にパチンコ球が入球した場合のほうが、遊技者に有利な結果となるように構成されている。従って、センター役物内に入球させたパチンコ球の数によって、より多様なパチンコ球の振り分けが可能となり、遊技者を飽きさせることがない。
【００９４】
更に、第２及び第３実施形態において、コイルバネ３５４は駆動モータ３７４によってコイルバネの巻き方向Ｓに回転されることとしていたが（図２０参照）、回転させることなく静止させた状態によってもパチンコ球の振り分けは可能である。図２７の（Ａ）は、固定したコイルバネ６５４内をパチンコ球が１球のみ通過する際のパチンコ球の挙動を示した模式図、図２７の（Ｂ）は、固定したコイルバネ６５４内をパチンコ球が同時に２球通過する際の各パチンコ球の挙動を示した模式図である。
【００９５】
図２７（Ａ）に示すように、パチンコ球５が静止するコイルバネ３５４の内部を１球のみ通過する場合には、パチンコ球５の自重によってコイルバネ３５４にα（≦パチンコ球が通過しない状態での撓み）の撓みが生じる。そして、下端開口部６５４Ａからパチンコ球５が傾斜角θ１で振分樋６６０に放出された場合には、該パチンコ球５は外れ領域６６５に落下し、その後、外れ振分孔６６２に入球することとなる。
【００９６】
一方、図２７（Ｂ）に示すように、パチンコ球５が静止するコイルバネ３５４の内部を２球同時に通過する場合には、パチンコ球の２球分の自重によってコイルバネ３５４にβ（＜α）の撓みが生じる。そして、下端開口部６５４Ａからパチンコ球５が傾斜角θ２で振分樋６６０に放出された場合には、該パチンコ球５は当り領域６６４に落下し、その後、当り振分孔６６１に入球することとなる。尚、図示は省略するが、コイルバネ３５４の内部をパチンコ球５が３球以上同時に通過する場合においても、当然に下端開口部６５４Ａから放出されたパチンコ球５は当り領域６６４に落下する。
従って、遊技者は、多数のパチンコ球をセンター役物３０６内に入球させることによって、より有利な遊技結果を得ることが可能となる。
【産業上の利用可能性】
【００９７】
本発明は、コイルバネや軟質樹脂などの螺旋状の部材をパチンコ機の役物として使用する技術に適用し得る。
【図面の簡単な説明】
【００９８】
【図１】第１実施形態に係るパチンコ機の遊技盤に配設される振分役物の一例を示した斜視図である。
【図２】第１実施形態に係るパチンコ機の遊技盤に配設される振分役物の一例において使用されるモータを示した三面図である。
【図３】第１実施形態に係るパチンコ機の遊技盤に配設される振分役物の一例において使用される歯車を示した三面図である。
【図４】第１実施形態に係るパチンコ機の遊技盤に配設される振分役物の一例において使用されるコイルバネを示した二面図である。
【図５】第１実施形態に係るパチンコ機の遊技盤に配設される振分役物の一例において使用される変形保持部材を示した三面図である。
【図６】第１実施形態に係るパチンコ機の遊技盤に配設される振分役物の一例において使用される架台を示した三面図である。
【図７】第１実施形態に係るパチンコ機の遊技盤を示した正面図である。
【図８】第１実施形態に係るパチンコ機の遊技盤を示した平面図である。
【図９】第１実施形態に係るパチンコ機の遊技盤を示した平面図である。
【図１０】第１実施形態に係るパチンコ機の遊技盤を示した正面図である。
【図１１】第１実施形態に係るパチンコ機の遊技盤を示した平面図である。
【図１２】第１実施形態に係るパチンコ機の遊技盤を示した平面図である。
【図１３】第１実施形態に係るパチンコ機の遊技盤を示した正面図である。
【図１４】第１実施形態に係るパチンコ機の遊技盤を示した平面図である。
【図１５】第１実施形態に係るパチンコ機の遊技盤を示した平面図である。
【図１６】第１実施形態に係るパチンコ機を示した正面図である。
【図１７】第１実施形態に係るパチンコ機の遊技盤に配設される振分役物の一例を示した斜視図である。
【図１８】第２実施形態に係るパチンコ機の遊技盤の遊技領域を示した平面図である。
【図１９】第２実施形態に係るセンター役物について示した斜視図である。
【図２０】第２実施形態に係るコイルバネの回転構造を示した模式図である。
【図２１】第２実施形態に係る振分樋を示した上面図である。
【図２２】（Ａ）は、コイルバネ内をパチンコ球が１球のみ通過する際のパチンコ球の挙動を示した模式図、（Ｂ）は、コイルバネ内をパチンコ球が同時に２球通過する際の各パチンコ球の挙動を示した模式図である。
【図２３】コイルバネの先端が遊技者方向を向いたタイミングで、コイルバネ内をパチンコ球が１球のみ通過する際のパチンコ球の挙動を示した模式図である。
【図２４】第３実施形態に係るセンター役物について示した斜視図である。
【図２５】第３実施形態に係る振分樋を示した上面図である。
【図２６】３種類の領域によって形成した振分樋の変形例を示した上面図である。
【図２７】（Ａ）は、固定したコイルバネ内をパチンコ球が１球のみ通過する際のパチンコ球の挙動を示した模式図、（Ｂ）は、固定したコイルバネ内をパチンコ球が同時に２球通過する際の各パチンコ球の挙動を示した模式図である。
【符号の説明】
【００９９】
１                パチンコ機
２                遊技盤
１１                振分役物
２１                モータ
３１                歯車
４１                コイルバネ
５１                変形保持部材
５２                円形開口部
５３                上端把持部材
５４                円形凸条部
５５                下端把持部材
５６                連結部材
５７                歯形部
５８                円形開口部
６１                架台
６２                固定部
６３                吊下部
６４                取付部
６６                環状溝
３０６、４０６      センター役物
【図１】
2006006925.tif 000003
【図２】
2006006925.tif 000004
【図３】
2006006925.tif 000005
【図４】
2006006925.tif 000006
【図５】
2006006925.tif 000007
【図６】
2006006925.tif 000008
【図７】
2006006925.tif 000009
【図８】
2006006925.tif 000010
【図９】
2006006925.tif 000011
【図１０】
2006006925.tif 000012
【図１１】
2006006925.tif 000013
【図１２】
2006006925.tif 000014
【図１３】
2006006925.tif 000015
【図１４】
2006006925.tif 000016
【図１５】
2006006925.tif 000017
【図１６】
2006006925.tif 000018
【図１７】
2006006925.tif 000019
【図１８】
2006006925.tif 000020
【図１９】
2006006925.tif 000021
【図２０】
2006006925.tif 000022
【図２１】
2006006925.tif 000023
【図２２】
2006006925.tif 000024
【図２３】
2006006925.tif 000025
【図２４】
2006006925.tif 000026
【図２５】
2006006925.tif 000027
【図２６】
2006006925.tif 000028
【図２７】
2006006925.tif 000029